(57)【要約】【課題】印刷版の凸部上に付着しているインキを効率的に除去することができる印刷装置を提供する。【解決手段】印刷装置１０は、ブランケット胴１２と、ブランケット胴１２の表面にインキ１３の膜を形成する塗膜機構１４と、印刷版１６Ａと、を備えている。印刷版１６Ａは、ブランケット胴１２の表面のインキ１３に接触することができる凸部１７ａと、凸部１７ａの間に位置する凹部１７ｂと、を有している。また印刷装置１０は、印刷版１６Ａの凸部１７ａ上に付着しているインキ１３を除去する除去機構３０と、印刷版１６Ａの凸部１７ａがインキ１３に接触する前に印刷版１６Ａにシリコーンゴムを押し当てる前処理を実施する前処理機構１９と、をさらに備えている。【選択図】図１
2014237262.tif 000002
【特許請求の範囲】
【請求項１】
凸部および凹部を有する印刷版にシリコーンゴムを押し当てる前処理工程と、
ブランケット胴の表面にインキの膜を形成する工程と、
前記ブランケット胴を前記印刷版に接触させ、前記ブランケット胴の表面のインキを印刷版の前記凸部上に転移させる転移工程と、
前記ブランケット胴の表面に残っているインキを被印刷体に転写する転写工程と、
前記印刷版の前記凸部上に付着しているインキを除去する除去工程と、を備える、印刷方法。
【請求項２】
前記ブランケット胴の表面は、シリコーンゴムを含む表面層によって構成されており、
前記前処理工程は、表面にインキの膜が形成されていない状態にある前記ブランケット胴を前記印刷版に押し当てることによって実施される、請求項１に記載の印刷方法。
【請求項３】
前記除去工程は、
フィルムによって支持されているプライマー層を前記印刷版の前記凸部上のインキに接触させる接触工程と、
前記凸部上のインキに接触している前記プライマー層を硬化させる硬化処理工程と、
前記フィルムおよび前記プライマー層を前記印刷版の前記凸部から引き離す剥離工程と、を有する、請求項１または２に記載の印刷方法。
【請求項４】
前記プライマー層は、電離放射線を照射されることによって硬化する電離放射線硬化性樹脂材料を含む、請求項３に記載の印刷方法。
【請求項５】
前記除去工程は、
フィルムによって支持されている粘着層を前記印刷版の前記凸部上のインキに接触させる接触工程と、
前記フィルムおよび前記粘着層を前記印刷版の前記凸部から引き離す剥離工程と、を有する、請求項１または２に記載の印刷方法。
【請求項６】
ブランケット胴の表面のインキを被転写体に転写する印刷装置であって、
前記ブランケット胴と、
前記ブランケット胴の表面にインキの膜を形成する塗膜機構と、
前記被転写体の上流側に設けられ、前記ブランケット胴の表面の前記インキに接触することができる凸部と、前記凸部の間に位置する凹部と、を有する印刷版と、
前記印刷版の前記凸部上に付着しているインキを除去する除去機構と、を備え、
前記印刷装置は、前記印刷版の前記凸部がインキに接触する前に、前記印刷版にシリコーンゴムを押し当てる前処理を実施する前処理機構をさらに備える、印刷装置。
【請求項７】
前記印刷版は、平板状のものである、請求項６に記載の印刷装置。
【請求項８】
前記ブランケット胴の表面は、シリコーンゴムを含む表面層によって構成されており、
前記前処理機構による前記前処理は、表面にインキの膜が形成されていない状態にある前記ブランケット胴を前記印刷版に押し当てることによって実施される、請求項７に記載の印刷装置。
【請求項９】
前記印刷版は、回転するロール状のものであり、
前記前処理機構は、前記印刷版の回転方向に関して前記ブランケット胴よりも上流側に配置され、前記印刷版に押し当てられる前処理ロールを有し、
前記前処理ロールの表面は、シリコーンゴムを含む表面層によって構成されている、請求項６に記載の印刷装置。
【請求項１０】
前記除去機構は、
フィルムと、
フィルムの両面のうち前記印刷版側の面に設けられたプライマー層と、
前記プライマー層が前記印刷版上のインキに接触するよう、前記フィルムおよび前記プライマー層を含む積層体を保持する保持部と、
前記インキに接触している前記プライマー層を硬化させる硬化処理部と、を有する、請求項６乃至９のいずれか一項に記載の印刷装置。
【請求項１１】
前記プライマー層は、電離放射線を照射されることによって硬化する電離放射線硬化性樹脂材料を含む、請求項１０に記載の印刷装置。
【請求項１２】
前記除去機構は、
フィルムと、
フィルムの両面のうち前記印刷版側の面に設けられた粘着層と、
前記粘着層が前記印刷版上のインキに接触するよう、前記フィルムおよび前記粘着層を含む積層体を保持する保持部と、を有する、請求項６乃至９のいずれか一項に記載の印刷装置。
【発明の詳細な説明】
【技術分野】
【０００１】
本発明は、反転印刷を実施するための印刷方法および印刷装置に関する。
【背景技術】
【０００２】
微細なパターンを基材に形成する方法として、従来、フォトリソグラフィー法が用いられている。しかしながら、フォトリソグラフィー法においては、成膜工程、露光工程および現像工程が、対象となる材料ごとに実施される。このため工数が大きくなり、この結果、製造コストが高くなってしまう。このような課題を解決するため、近年、印刷法を用いて微細なパターンを基材に形成する研究が進められている。
【０００３】
微細なパターンを形成することができる印刷法として、例えば特許文献１，２において、反転印刷法が提案されている。反転印刷法においては、はじめに、ブランケット胴の表面にインキの膜を形成し、次に、ブランケット胴を、凸版および凹部を有する印刷版に接触させる。この印刷版の凸部および凹部はそれぞれ、基材などの被印刷体の領域のうち、インキが転写されない領域およびインキが転写される領域に対応するよう構成されている。従って、ブランケット胴の表面のインキを印刷版の凸部に接触させて転移させることにより、不要なインキをブランケット胴から取り除くことができる。その後、ブランケット胴の表面に残っているインキを被印刷体に転写することにより、インキから構成される微細なパターンを被転写体に形成することができる。
【先行技術文献】
【特許文献】
【０００４】
【特許文献１】特開２００７−２５３３４４号公報
【特許文献２】特開２０１１−７３２６４号公報
【発明の概要】
【発明が解決しようとする課題】
【０００５】
反転印刷法においては、上述のようにブランケット胴の表面の不要なインキが印刷版の凸部上に付着するため、その都度凸部上のインキを除去する必要がある。従って、量産のために反転印刷法を繰り返し実施するためには、印刷版の凸部上に付着したインキを効率的に除去することができる除去工程や除去機構が求められる。このような課題を考慮して、例えば上述の特許文献１，２においては、印刷版に対して撥インキ処理を実施した後に印刷版にインキを転移させることにより、除去工程の際に印刷版からインキを除去し易くすることが提案されている。具体的には、シランカップリング剤を印刷版の表面に固定させ、これによって印刷版に撥インキ性を付与することが提案されている。
【０００６】
しかしながら、シランカップリング剤を印刷版の表面に固定させるためには、印刷版の事前処理や加熱といった工程が必要となり処理時間を要する。なぜなら、シランカップリング剤を固定する処理では、はじめに紫外線照射等にて表面処理を実施し、ＯＨ基を形成させて表面を清浄化する。次に、シランカップリング剤を含む溶液を印刷版に塗工あるいは浸漬させる。次に熱処理によって溶液中の溶媒を蒸発させるという工程が実施され、さらに、印刷版を加熱した場合には安定した印刷が可能な温度まで冷却するといった工程を要する。このため、上記の処理工程に要する時間が長く、例えば５分以上の時間を要する。シランカップリング剤を固定するその他の処理例では、はじめに上記と同様な紫外線による表面処理を実施した後、印刷版をシランカップリング剤の蒸気に晒すことが行われる。この場合においても処理時間に５分以上を要する。従って、シランカップリング剤によって印刷版に撥インキ性を付与する場合、撥インキ性のために除去工程が容易化されたとしても、印刷工程全体に要する時間が長くなり、印刷の効率が低下してしまうことが考えられる。
【０００７】
本発明は、このような課題を効果的に解決し得る印刷方法および印刷装置を提供することを目的とする。
【課題を解決するための手段】
【０００８】
本発明は、凸部および凹部を有する印刷版にシリコーンゴムを押し当てる前処理工程と、ブランケット胴の表面にインキの膜を形成する工程と、前記ブランケット胴を前記印刷版に接触させ、前記ブランケット胴の表面のインキを印刷版の前記凸部上に転移させる転移工程と、前記ブランケット胴の表面に残っているインキを被印刷体に転写する転写工程と、前記印刷版の前記凸部上に付着しているインキを除去する除去工程と、を備える、印刷方法である。
【０００９】
本発明による印刷方法において、前記ブランケット胴の表面は、シリコーンゴムを含む表面層によって構成されており、前記前処理工程は、表面にインキの膜が形成されていない状態にある前記ブランケット胴を前記印刷版に押し当てることによって実施されてもよい。
【００１０】
本発明による印刷方法において、前記除去工程は、フィルムによって支持されているプライマー層を前記印刷版の前記凸部上のインキに接触させる接触工程と、前記凸部上のインキに接触している前記プライマー層を硬化させる硬化処理工程と、前記フィルムおよび前記プライマー層を前記印刷版の前記凸部から引き離す剥離工程と、を有していてもよい。
【００１１】
本発明による印刷方法において、前記プライマー層は、電離放射線を照射されることによって硬化する電離放射線硬化性樹脂材料を含んでいてもよい。
【００１２】
本発明による印刷方法において、前記除去工程は、フィルムによって支持されている粘着層を前記印刷版の前記凸部上のインキに接触させる接触工程と、前記フィルムおよび前記粘着層を前記印刷版の前記凸部から引き離す剥離工程と、を有していてもよい。
【００１３】
本発明は、ブランケット胴の表面のインキを被転写体に転写する印刷装置であって、前記ブランケット胴と、前記ブランケット胴の表面にインキの膜を形成する塗膜機構と、前記被転写体の上流側に設けられ、前記ブランケット胴の表面の前記インキに接触することができる凸部と、前記凸部の間に位置する凹部と、を有する印刷版と、前記印刷版の前記凸部上に付着しているインキを除去する除去機構と、を備え、前記印刷装置は、前記印刷版の前記凸部がインキに接触する前に、前記印刷版にシリコーンゴムを押し当てる前処理を実施する前処理機構をさらに備える、印刷装置である。
【００１４】
本発明による印刷装置において、前記印刷版は、平板状のものであってもよい。この場合、前記ブランケット胴の表面は、シリコーンゴムを含む表面層によって構成されており、前記前処理機構による前記前処理は、表面にインキの膜が形成されていない状態にある前記ブランケット胴を前記印刷版に押し当てることによって実施されてもよい。
【００１５】
本発明による印刷装置において、前記印刷版は、回転するロール状のものであってもよい。この場合、前記前処理機構は、前記印刷版の回転方向に関して前記ブランケット胴よりも上流側に配置され、前記印刷版に押し当てられる前処理ロールを有し、前記前処理ロールの表面は、シリコーンゴムを含む表面層によって構成されていてもよい。
【００１６】
本発明による印刷装置において、前記除去機構は、フィルムと、フィルムの両面のうち前記印刷版側の面に設けられたプライマー層と、
前記プライマー層が前記印刷版上のインキに接触するよう、前記フィルムおよび前記プライマー層を含む積層体を保持する保持部と、前記インキに接触している前記プライマー層を硬化させる硬化処理部と、を有していてもよい。
【００１７】
本発明による印刷装置において、前記プライマー層は、電離放射線を照射されることによって硬化する電離放射線硬化性樹脂材料を含んでいてもよい。
【００１８】
本発明による印刷装置において、前記除去機構は、フィルムと、フィルムの両面のうち前記印刷版側の面に設けられた粘着層と、前記粘着層が前記印刷版上のインキに接触するよう、前記フィルムおよび前記粘着層を含む積層体を保持する保持部と、を有していてもよい。
【発明の効果】
【００１９】
本発明によれば、印刷版に付着しているインキを効率的に除去することができる。
【図面の簡単な説明】
【００２０】
【図１】図１（ａ）（ｂ）は、本発明の実施の形態において、印刷版に撥インキ性を付与するための前処理工程を示す図。
【図２】図２（ａ）（ｂ）（ｃ）（ｄ）は、本発明の実施の形態における印刷方法を示す図。
【図３】図３（ａ）（ｂ）（ｃ）（ｄ）は、図２（ｃ）に示す除去機構を用いて印刷版に残っているインキを除去する方法を示す図。
【図４】図４（ａ）（ｂ）は、印刷版に残っているインキが除去機構によって除去される様子を示す図。
【図５】図５は、本発明の実施の形態による印刷方法を用いて製造された導電性基材の一例を示す平面図。
【図６】図６は、本発明の実施の形態の変形例における印刷装置を示す図。
【図７】図７は、シリコンブランケットをガラスに接触させる回数に応じて、ガラスに対する純水の接触角が変化する様子を示す図。
【発明を実施するための形態】
【００２１】
以下、図１乃至図５を参照して、本発明の実施の形態について説明する。はじめに、ブランケット胴１２の表面のインキ１３を被転写体３０に所定のパターンで転写する印刷装置１０について説明する。図２（ａ）（ｂ）（ｃ）（ｄ）は、印刷装置１０を用いた印刷方法の一例を示す図である。
【００２２】
（印刷装置）
図２（ａ）（ｂ）（ｃ）（ｄ）に示すように、印刷装置１０は、ブランケット胴１２と、ブランケット胴１２の表面にインキ１３の膜を形成する塗膜機構１４と、被転写体３０の上流側に設けられた平板状の印刷版１６Ａと、を備えている。印刷版１６Ａは、ブランケット胴１２の表面のインキ１３に接触することができる複数の凸部１７ａと、凸部１７ａの間に位置する複数の凹部１７ｂと、を有している。印刷版１６Ａの凸部１７ａおよび凹部１７ｂはそれぞれ、被転写体３０の領域のうち、インキ１３が転写されない領域およびインキ１３が転写される領域に対応するよう構成されている。例えば後述するように、印刷装置１０を用いてタッチパネルセンサを製造する場合、凹部１７ｂは、タッチパネルセンサのセンサパターンおよび周縁パターンに対応するよう構成されている。また凸部１７ａは、センサパターンおよび周縁パターンが存在しない領域に対応するよう構成されている。
【００２３】
〔インキ〕
ブランケット胴１２の表面に塗布されて膜を形成することができる限りにおいて、インキ１３を構成する材料が特に限られることはなく、被転写体３０に形成されるパターンの特性に応じて適宜選択される。例えば後述するように、印刷装置１０を用いて被転写体３０にタッチパネルセンサのセンサパターンおよび周縁パターンを形成する場合、インキ１３として、金属などの導電性材料から構成された導電性粉末を含む金属分散液が用いられる。またインキ１３として、導電性粉末がバインダー樹脂内に分散されたインキが用いられてもよい。また、インキ１３の流動性を確保するため、溶剤が含まれていてもよい。導電性粉末、バインダー樹脂および溶剤としては、例えば、特許第４４３６４４１号公報に記載の導電性組成物を構成するための導電性粉末、バインダー樹脂および溶剤を用いることができる。
【００２４】
〔印刷版〕
印刷版１６Ａを構成する材料は、所望の精度で凸部１７ａおよび凹部１７ｂを形成することができるよう選択され、例えばガラスや金属材料が用いられる。なお印刷版１６Ａがガラスなどの光透過性を有する材料から構成される場合、ガラスを透過した光を後述する除去機構のプライマー層に照射することができるため、除去機構の硬化処理部の配置の自由度を高めることができる。
【００２５】
〔ブランケット胴〕
ブランケット胴１２としては、その表面が撥インキ性を有するものが用いられる。具体的には、ブランケット胴１２とインキ１３との間の密着力が、印刷版１６Ａの凸部１７ａとインキ１３との間の密着力、および、被転写体３０とインキ１３との間の密着力よりも小さくなるよう、ブランケット胴１２の表面が構成されている。このようなブランケット胴１２の具体的な構成は特には限られないが、例えばブランケット胴１２は、ロール状の本体部１２ｂと、本体部１２ｂに巻き付けられ、撥インキ性を備えた表面層１２ａと、を有している。表面層１２ａは、撥インキ性を有する物質を含んでおり、例えばシリコーンゴムを含んでいる。この結果、ブランケット胴１２の表面の、２５℃の純水に対する接触角は、８０°以上になっており、例えば１２０°程度になっている。
【００２６】
ブランケット胴１２の表面層１２ａには、ブランケット胴１２の撥インキ性を高めるための撥インキ性物質が浸み込んでいる。例えば、表面層１２ａに含まれるシリコーンゴムが撥インキ性物質を含むことによって、ブランケット胴１２の表面の撥インキ性が高められている。撥インキ性物質としては、例えば、シリコーンゴムを生成するための重合反応を進行させる際に同時に生成されてシリコーンゴムの隙間に入る低分子量ポリシロキサンが挙げられる。低分子量ポリシロキサンとは、例えば、分子量が１００〜１００００の範囲内にあるポリシロキサンのことである。低分子量ポリシロキサンの例としては、例えば特開２００４−１７３１０号公報に記載されているような、ジメチルシリコーンオイルなどのシリコーンオイルが挙げられる。なお表面層１２ａのシリコーンゴムの隙間に浸み込んでいる撥インキ性物質が、シリコーンゴムを生成するための重合反応を進行させる際に同時に生成されたものに限られることはなく、重合反応の後に外部から供給されたものであってもよい。
【００２７】
なお簡略化のため、表面層１２ａおよび本体部１２ｂを有するブランケット胴１２を図に示す際、表面層１２ａおよび本体部１２ｂの表示が省略されることもある。
【００２８】
（除去機構）
図２（ｃ）に示すように、印刷装置１０は、印刷版１６Ａの凸部１７ａ上に付着しているインキ１３を除去する除去機構２０をさらに備えている。以下、除去機構２０について説明する。図３（ａ）（ｂ）（ｃ）（ｄ）は、除去機構２０を用いて凸部１７ａ上のインキ１３を除去する方法の一例を示す図である。
【００２９】
除去機構２０は、プライマー層２２を印刷版１６Ａの凸部１７ａ上のインキ１３に接触させ、インキ１３をプライマー層２２側に転移させることによって、凸部１７ａ上のインキ１３を除去するものである。除去機構２０は、図３（ａ）（ｂ）（ｃ）（ｄ）に示すように、フィルム２１と、フィルム２１の両面のうち印刷版１６Ａ側の面に設けられたプライマー層２２と、フィルム２１およびプライマー層２２を含む積層体を保持する保持部２４と、を有している。また除去機構２０は、インキ１３に接触しているプライマー層２２を硬化させる硬化処理部２４をさらに有している。
【００３０】
〔フィルム〕
フィルム２１は、プライマー層２２を支持するためのものである。フィルム２１を構成する材料としては、ロール・トゥ・ロールによる搬送が可能な程度の可撓性、および、プライマー層２２との間での適切な密着性を有する材料が選択される。なお、後述する硬化処理工程においてフィルム２１側からプライマー層２２に向けて紫外線が照射される場合、フィルム２１の材料として、光透過性を有する材料、例えばＰＥＴなどが用いられる。
【００３１】
〔プライマー層〕
プライマー層２２は、電離線照射や加熱など、外部から与えることができる要因に応じて硬化することができるよう構成された層である。プライマー層２２としては、例えば、電離線を照射されることによって硬化する電離線硬化性樹脂材料や、加熱されることによって硬化する熱硬化性樹脂材料が用いられる。また、流動性を確保するための溶剤がさらに含まれていてもよい。なお電離放射線は、代表的には紫外線または電子線であるが、可視光線、Ｘ線、γ線などの電磁波であってもよく、あるいはα線などの荷電粒子線であってもよい。
【００３２】
電離線硬化性樹脂材料としては、電離放射線で架橋等の反応により重合硬化するモノマー、あるいはプレポリマーやオリゴマーが用いられ得る。モノマー、プレポリマーやオリゴマーの例としては、例えば、特許第４４３６４４１号公報に記載の電離線硬化性樹脂として用いられるものが挙げられる。プライマー層２２に要求される性能、塗布適性等に応じて、モノマーやプレポリマーを１種類単独で用いてもよく、若しくは、モノマーを２種類以上混合して、プレポリマーを２種類以上混合して、あるいはモノマー１種類以上とプレポリマー１種類以上とを混合して用いてもよい。
【００３３】
熱可塑性樹脂材料としては、例えば、ポリメチルメタクリレート（ＰＭＭＡ）等のアクリル樹脂、塩化ビニル−酢酸ビニル共重合体、ポリエステル樹脂、ポリオレフィン樹脂等が挙げられる。
【００３４】
フィルム２１にプライマー層２２を設ける方法が特に限られることはない。例えば、フィルム２１の両面のうち印刷版１６Ａ側の面に予めプライマー層２２が設けられた積層体が除去機構２０に提供されてもよい。この場合、一般には、インキ１３に対するプライマー層２２の密着性を維持するためにプライマー層２２は剥離シートなどで覆われており、このため除去機構２０は、この剥離シートを取り除く手段を有している。また図３（ａ）（ｂ）（ｃ）（ｄ）に示すように、除去機構２０は、プライマー層２２を構成するための樹脂材料を、フィルム２１の両面のうち印刷版１６Ａ側の面に塗工する塗工部２３をさらに有していてもよい。この場合、塗工によってプライマー層２２が形成されてから、当該プライマー層２２が印刷版１６Ａの凸部１７ａに接触するまでの時間や周囲環境を制御することができる。このため、凸部１７ａに接触する際のプライマー層２２の特性、例えば流動性を調整することが可能になる。
【００３５】
除去機構２０に上述の塗工部２３が設けられており、かつ、プライマー層２２を構成する材料に溶剤が含まれている場合、塗工部２３の下流側に、プライマー層２２中の溶剤を除去するための乾燥部がさらに設けられていてもよい。これによって、塗工部２３によって塗工される際の塗工性能を高めながら、印刷版１６Ａの凸部１７ａに到達する際のプライマー層２２の流動性を適切に調整することができる。なお、このような乾燥処理を不要にするため、プライマー層２２を構成する材料が、少なくとも１種類のモノマーを含んでいてもよい。これによって、プライマー層２２に溶剤が含まれていない場合であっても、プライマー層２２の十分な塗工性能および適切な流動性を確保することができる。すなわち、いわゆる無溶剤のプライマー層２２を採用することが可能となる。この結果、乾燥処理が不要になるため、工数および設備数を削減することができ、これによって製造コストを削減することができる。
【００３６】
〔保持部〕
保持部２４は、プライマー層２２が印刷版１６Ａ上のインキ１３に接触するよう、フィルム２１およびプライマー層２２を含む積層体を保持するものである。プライマー層２２を所定の圧力で印刷版１６Ａの凸部１７ａ上のインキ１３に接触させることができる限りにおいて、保持部２４の構成は特には限定されない。例えば保持部２４は、図３（ｃ）に示すように、フィルム２１およびプライマー層２２の積層体を印刷版１６Ａに沿って搬送する一対のガイドローラー２６と、上記積層体をフィルム２１側から印刷版１６Ａに向けて押圧する押圧ローラー２５と、を含んでいる。なお平板状の印刷版１６Ａを用いる印刷法では、繰り返し実施する印刷の精度を高く維持するため、後述する転移工程や除去工程の際に印刷版１６Ａが静止していることが好ましい。従って、保持部２４の押圧ローラー２５は、一対のガイドローラー２６の間で回転移動しながらフィルム２１を印刷版１６Ａに向けて押圧するよう構成されていてもよい。これによって、印刷版１６Ａが静止状態にある場合であっても、凸部１７ａ上のインキ１３をプライマー層２２に転移させることができる。
【００３７】
〔硬化処理部〕
硬化処理部２７は、印刷版１６Ａの凸部１７ａ上のインキ１３に接触しているプライマー層２２を硬化させるものである。プライマー層２２が、紫外線や電子線などの電離放射線を照射されることによって硬化する電離放射線硬化性樹脂材料を含む場合、硬化処理部２７は、プライマー層２２に向けて電離放射線を照射する照射手段として構成されている。一方、プライマー層２２が、加熱されることによって硬化する熱硬化性樹脂材料を含む場合、硬化処理部２７は、プライマー層２２を加熱するヒーターなどの加熱手段として構成されている。照射手段や加熱手段の配置は、フィルム２１や印刷版１６Ａの構成に応じて適切に設定される。例えば、光透過性を有するガラスなどによって印刷版１６Ａが構成される場合、照射手段は、印刷版１６Ａを介して電離放射線をプライマー層２２に照射するよう配置されていてもよい。また、光透過性を有するＰＥＴなどによってフィルム２１が構成される場合、照射手段は、フィルム２１を介して電離放射線をプライマー層２２に照射するよう構成されていてもよい。また、照射手段または加熱手段は、一対のガイドローラー２６の間で押圧ローラー２５に続いて移動しながら、プライマー層２２に向けて電離放射線を照射し、またはプライマー層２２を加熱してもよい。なお一般に、電離放射線に起因する硬化は、加熱に起因する硬化よりも迅速に完了することができる。従って、後述する除去工程のスループットを高める上では、電離放射線を照射する照射手段を硬化処理部２７として採用することが有利である。
【００３８】
ところで、除去機構２０を用いて印刷版１６Ａの凸部１７ａ上のインキ１３を効率的に除去するためには、凸部１７ａとインキ１３との間の密着力が小さいことが好ましい。この点を考慮して、本実施の形態においては、図２（ａ）（ｂ）（ｃ）に示すように、印刷版１６Ａの凸部１７ａがインキ１３に接触するよりも前に、撥インキ性を有する撥インキ性物質１５を凸部１７ａ上に設けるという方法が採用されている。以下、図１（ａ）（ｂ）を参照して、撥インキ性物質を凸部１７ａ上に設けるための前処理機構１９について説明する。
【００３９】
（前処理機構）
前処理機構１９は、印刷版１６Ａの凸部１７ａがインキ１３に接触する前に、印刷版１６Ａにシリコーンゴムを押し当てる前処理を実施するよう構成されたものである。本実施の形態において、前処理機構１９による前処理は、図１（ａ）（ｂ）に示すように、表面にインキ１３の膜が形成されていない状態にあるブランケット胴１２を印刷版１６Ａの凸部１７ａに押し当てることによって実施される。ここで上述のように、ブランケット胴１２の表面は、シリコーンゴムを含む表面層１２ａによって構成されており、またシリコーンゴムの隙間には、低分子量ポリシロキサンなどの撥インキ性物質が浸み込んでいる。このため、ブランケット胴１２を印刷版１６Ａの凸部１７ａに押し当てることにより、撥インキ性物質１５を凸部１７ａ上に転移させることができる。このように本実施の形態においては、被転写体３０にインキ１３を転写するためのブランケット胴１２が、同時に、印刷版１６Ａに撥液性を付与するための前処理機構１９を構成している。
【００４０】
（印刷方法）
次に、このような構成からなる本実施の形態の作用および効果について説明する。ここでは、印刷装置１０を用いて、インキ１３を被転写体に所定のパターンで転写する印刷方法について説明する。
【００４１】
〔前処理工程〕
はじめに、図１（ａ）に示すように、印刷版１６Ａと、前処理機構１９として利用されるブランケット胴１２と、を準備する。このとき前処理機構１９のブランケット胴１２は、印刷版１６Ａの両端部のうち被転写体３０に近接する側の端部の近傍に配置される。
【００４２】
次に図１（ｂ）に示すように、ブランケット胴１２が被転写体３０から遠ざかる方向において、ブランケット胴１２を印刷版１６Ａ上で走行させ、これによって、印刷版１６Ａの凸部１７ａにブランケット胴１２の表面層１２ａのシリコーンゴムを押し当てる。この結果、表面層１２ａに浸み込んでいる撥インキ性物質１５が、凸部１７ａ上に転移される。なお、ブランケット胴１２の表面層１２ａが凸部１７ａだけでなく凹部１７ｂにも当接するようにブランケット胴１２を印刷版１６Ａ上で走行させ、これによって、凹部１７ｂの内部に撥インキ性物質を設けてもよい。
【００４３】
その後、図２（ａ）に示すように、印刷版１６Ａの端部のうち被転写体３０から遠位にある端部の近傍において、塗膜機構１４を用いて、ブランケット胴１２の表面にインキ１３の膜を形成する。
【００４４】
〔転移工程〕
次に、図２（ｂ）に示すように、被転写体３０に向かう方向においてブランケット胴１２を印刷版１６Ａ上で走行させ、これによって、印刷版１６Ａの凸部１７ａにブランケット胴１２の表面を接触させる。この結果、図２（ｂ）に示すように、ブランケット胴１２の表面のインキ１３のうち印刷版１６Ａの凸部１７ａに接触したインキ１３が、凸部１７ａに転移される。一方、ブランケット胴１２の表面上のインキ１３のうち、印刷版１６Ａの凹部１７ｂに対応する領域にあるインキ１３は、ブランケット胴１２の表面に残ったままとなっている。
【００４５】
ところで、インキ１３の膜が形成されたブランケット胴１２を印刷版１６Ａ上で走行させる際、凸部１７ａ上には撥インキ性物質１５が設けられている。すなわち、印刷版１６Ａには撥インキ処理が施されている。しかしながら、印刷版１６Ａは一般に、密な構造を有する材料によって構成されており、例えば上述のようにガラスや金属から構成されている。一方、ブランケット胴１２の表面層１２ａのシリコーンゴムは、撥インキ物質を含有することによって膨潤したものとなっている。このため、ブランケット胴１２の表面および凸部１７ａの表面のいずれにも撥インキ性物質が存在してはいるが、凸部１７ａとインキ１３との間の密着力は、ブランケット胴１２とインキ１３との間の密着力よりも大きくなっている。従って、インキ１３の膜が形成されたブランケット胴１２を印刷版１６Ａ上で走行させることにより、上述のようにインキ１３を凸部１７ａに転移させることができる。この結果、図２（ｂ）に示すように、凸部１７ａとインキ１３との間に撥インキ性物質１５が介在された状態を実現することができる。
【００４６】
〔転写工程〕
その後、図２（ｃ）に示すように、ブランケット胴１２を被転写体３０上で走行させ、これによって、ブランケット胴１２の表面に残っているインキ１３を被転写体３０に転写する。このようにして、被転写体３０上に所定のパターンでインキ１３を転写することができる。また、除去機構２０を用いて凸部１７ａに付着しているインキ１３を除去する除去工程を実施する。以下、除去工程について図３（ａ）（ｂ）（ｃ）（ｄ）を参照して説明する。
【００４７】
〔除去工程〕
はじめに、図３（ａ）に示すように、プライマー層２２を構成するための樹脂材料を、塗工部２３を用いて、フィルム２１の両面のうち印刷版１６Ａと対向する側の面に塗工する。塗工は、図３（ｂ）に示すように、フィルム２１のうち少なくとも印刷版１６Ａと対向する領域にプライマー層２２が行き渡るまで実施する。その後、塗工部２３からの樹脂材料の吐出を停止してもよい。
【００４８】
〔接触工程〕
次に、フィルム２１によって支持されているプライマー層２２が印刷版１６Ａの凸部１７ａ上のインキ１３に接触するまで、保持部２４を用いて、プライマー層２２を印刷版１６Ａに向けて移動させる。例えば保持部２４の一対のガイドローラー２６の少なくとも一方が、印刷版１６Ａに向かって移動する。その後、図３（ｃ）に示すように、押圧ローラー２５が、フィルム２１およびプライマー層２２の積層体をフィルム２１側から印刷版１６Ａに向かって押圧する。これによって、プライマー層２２が印刷版１６Ａの凸部１７ａ上のインキ１３に密着する。
【００４９】
図４（ａ）は、接触工程の際のインキ１３およびプライマー層２２を拡大して示す図である。図４（ａ）に示すように、インキ１３の表面には一般に、インキ１３を構成する上述の導電性粉末などに起因した凹凸が存在している。また凸部１７ａ上のインキ１３はブランケット胴１２の表面から転移してきたものであるため、この除去工程の際には一般にインキ１３の流動性が大きく損なわれてしまっている。これに対して、除去機構２０は、所望の流動性が維持されている状態のプライマー層２２を凸部１７ａ上のインキ１３に接触させるよう構成されている。このため図４（ａ）に示すように、プライマー層２２は、インキ１３の表面の凹凸形状に応じて変形し、これによって、インキ１３に対してほぼ隙間無く密着することができる。
【００５０】
〔硬化処理工程〕
その後、凸部１７ａ上のインキ１３に接触しているプライマー層２２を硬化させる硬化処理工程を実施する。例えば、プライマー層２２に向けて電離放射線を照射する。若しくは、プライマー層２２を加熱する。これによって、プライマー層２２をインキ１３に対して強固に密着させることができる。例えば、プライマー層２２とインキ１３との間の密着力を、凸部１７ａとインキ１３との間の密着力よりも高くすることができる。
【００５１】
〔剥離工程〕
その後、フィルム２１およびプライマー層２２を含む積層体を印刷版１６Ａの凸部１７ａから引き離す。この際、図３（ｄ）および図４（ｂ）に示すように、凸部１７ａに付着していたインキ１３が、凸部１７ａから引き離されてプライマー層２２側に転移する。これによって、凸部１７ａ上に付着しているインキ１３を除去することができる。この際、図３（ｄ）および図４（ｂ）に示すように、インキ１３とともに撥インキ性物質１５がプライマー層２２側に転移してもよい。若しくは、図示はしないが、撥インキ性物質１５は、その全てが、若しくはその一部分が印刷版１６Ａ側に残ったままとなっていてもよい。
【００５２】
除去工程が完了した後、図２（ｄ）に示すように、ブランケット胴１２を印刷版１６Ａに向けて移動させる。その後、図１（ａ）（ｂ）に示す上述の前処理工程を再び実施して、次に実施される転移工程に備える。このように、ブランケット胴１２を往復移動させながら、上述の前処理工程、転移工程、転写工程および除去工程を繰り返すことにより、反転印刷を効率的に短時間で実施することができる。
【００５３】
ここで本実施の形態によれば、凸部１７ａとインキ１３との間には撥インキ性物質１５が介在されている。このため、上述の除去工程の剥離工程において、印刷版１６Ａの凸部１７ａに付着していたインキ１３を凸部１７ａから容易に引き離してプライマー層２２側に転移させることができる。このため、除去工程に要する時間を短縮することができる。また、凸部１７ａからのインキ１３の除去が不完全になることを抑制することができる。すなわち、印刷版１６Ａを清浄に保つことができる。
【００５４】
また本実施の形態においては、撥インキ性物質を印刷版１６Ａの凸部１７ａに設ける方法として、撥インキ性物質が浸み込んだシリコーンゴムを凸部１７ａに押し当てるという方法が採用されている。
このため、撥インキ性物質の流動性が低い場合であっても、撥インキ性物質をシリコーンゴムから凸部１７ａに転移させることができる。例えば、溶媒を用いることなく、若しくはわずかな溶媒を用いるだけで、撥インキ性物質を凸部１７ａに転移させることができる。従って、凸部１７ａに転移された撥インキ性物質を短時間で凸部１７ａに固定させることができる。例えば、例えば、熱処理などの乾燥工程を実施することなく、若しくは短時間の熱処理を行うだけで、撥インキ性物質を凸部１７ａに固定させることができる。
また、シリコーンゴムが印刷版１６Ａの凹部１７ｂには押し当てられないようにすることによって、凹部１７ｂの内部に撥インキ性物質が設けられてしまうことを容易に防ぐことができる。このため、凹部１７ｂの深さが小さい印刷版１６Ａが用いられる場合であっても、撥インキ処理を高い位置精度で実施することができる。このことにより、印刷の品質を安定に維持することができる。
【００５５】
このように本実施の形態によれば、従来の反転印刷方法に比べて、除去工程や撥インキ処理に要する時間を短縮することができる。従って、微細なパターンを形成することができるという反転印刷法の利点を享受しながら、工数および製造コストを削減できる印刷方法を提供できる。
【００５６】
また本実施の形態によれば、反転印刷方法全体に要する時間や工数を大きく増大させることなく、印刷版１６Ａに対する撥インキ処理を印刷の度に毎回実施することが可能になる。このため、印刷版１６Ａを常に清浄に保つことができ、これによって、印刷の品質を安定に維持することができる。
【００５７】
（導電性基材の製造方法）
次に、上述の印刷方法を用いて、複数の導電性配線４３が形成された導電性基材４０を製造する方法について説明する。ここでは、導電性基材４０が、外部導体の接近を検出するタッチパネルセンサである例について説明する。図５は、タッチパネルセンサを示す平面図である。
【００５８】
タッチパネルセンサなどの導電性基材４０を製造する場合、インキ１３としては、導電性配線４３を構成するための導電性材料を含むものが用いられる。例えば、金属などの導電性材料から構成された導電性粉末を含むインキが用いられる。なおインキ１３には、バインダー樹脂が含まれていてもよい。また上述の印刷版１６Ａの凹部１７ｂは、導電性配線４３に対応したパターンで形成されている。このため、上述の転写工程によって、複数の導電性配線４３を被転写体３０上に形成することができる。なお被転写体３０としては、導電性配線４３を適切に支持することができ、かつ、光透過性を有する材料、例えばＰＥＴなどが用いられる。
【００５９】
図５に示すように、タッチパネルセンサは、画像が表示される画像領域４１と、画像領域４１の周縁に位置する周縁領域４２と、に区画されている。周縁領域４２は、映像が表示されない領域であり、いわゆる額縁領域とも称される領域である。図５においては、画像領域４１が二点鎖線によって表されている。タッチパネルセンサは、画像領域４１に配置され、人間の指などの外部導体の接近を検出するセンサパターン４４と、周縁領域４２に配置されるとともに導電性配線４３に接続され、導電性配線４３から構成される周縁パターン４５と、を有している。周縁パターン４５は、センサパターン４４からの信号をタッチパネルセンサの端部近傍まで低抵抗で伝導させ、これによって、センサパターン４４からの信号を外部に取出し易くするためのものである。
【００６０】
センサパターン４４は、互いに間隔を空けて網目状に配置された複数の導電性配線４３から構成されている。導電性配線４３の寸法や配置は、センサパターン４４に求められる特性に応じて適切に設定されるが、例えば導電性配線４３の幅が３μ〜１０μｍの範囲内となっており、隣接する２つの導電性配線４３の間の間隔が２００μ〜９００μｍの範囲内となっている。図５において、複数の導電性配線４３から構成されるセンサパターン４４の輪郭が一点鎖線で表されている。図５に示すように、各センサパターン４４は、その輪郭が一方向に延びるよう構成されている。
【００６１】
センサパターン４４において、隣接する２つの導電性配線４３の間には所定の間隔が空けられているので、導電性配線４３が金属などの遮光性を有する導電性材料から構成されている場合であっても、液晶パネルなどの表示装置から放射された映像光の大部分がセンサパターン４４を透過することができる。また本実施の形態によれば、各導電性配線４３が、印刷装置１０を用いた反転印刷法によって作製されている。このため、各導電性配線４３の幅やピッチを微細に設定することができる。また、印刷版１６Ａの凸部１７ａ上に付着しているインキ１３を、除去機構２０を用いて効率的に除去することができる。このため、微細な導電性配線４３から構成されたセンサパターン４４を含むタッチパネルセンサを、小さな工数およびコストで製造することができる。
【００６２】
好ましくは、センサパターン４４を構成する各導電性配線４３と、周縁パターン４５を構成する各導電性配線４３とは、同一の印刷工程において同時に作製される。これによって、タッチパネルセンサの製造に要する工数を小さくすることができる。また、センサパターン４４と周縁パターン４５との間の位置合わせが不要になるため、タッチパネルセンサの製造工程を簡略化することができる。
【００６３】
なお図５において点線で示すように、タッチパネルセンサなどの導電性基材４０において、被転写体３０の一方の面だけでなく被転写体３０の他方の面にもセンサパターン４４や周縁パターン４５が形成されていてもよい。他方の面に形成されるセンサパターン４４および周縁パターン４５は、一方の面の場合と同様に、反転印刷法によって形成される導電性配線４３から構成されていてもよい。また図５に示すように、他方の面に形成されるセンサパターン４４は、一方の面に形成されるセンサパターン４４に対して直交するよう延びていてもよい。なお図５においては、図面が煩雑になるのを防ぐため、他方の面に形成されるセンサパターン４４を１つのみ表しているが、しかしながら、一方の面の場合と同様に、他方の面にも複数のセンサパターン４４が設けられていてもよい。
【００６４】
変形例
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６５】
（前処理機構の変形例）
本実施の形態において、被転写体３０にインキ１３を転写するためのブランケット胴１２が、印刷版１６Ａに撥液性を付与するための前処理機構１９を構成している例を示した。しかしながら、これに限られることはなく、印刷版１６Ａに押し当てられる前処理機構１９のシリコーンゴムは、被転写体３０にインキ１３を転写するためのブランケット胴１２とは別個のロールに設けられたものであってもよい。
【００６６】
（ロール・トゥ・ロールの例）
また本発明による前処理機構１９が、図６に示すようにロール・トゥ・ロールの反転印刷法において用いられてもよい。図６に示す変形例においては、印刷版としてロール状の印刷版１６Ｂが用いられる。ロール状の印刷版１６Ｂは、ブランケット胴１２の表面のインキ１３に接触することができる複数の凸部１７ａと、凸部１７ａの間に位置する複数の凹部１７ｂと、を有している。また前処理機構１９は、印刷版１６Ｂの回転方向に関してブランケット胴１２よりも上流側に配置され、印刷版１６Ｂに押し当てられる前処理ロール１９ｃを有している。この前処理ロール１９ｃの表面は、シリコーンゴムを含む表面層１９ａによって構成されている。また除去機構２０の保持部２４は、フィルム２１およびプライマー層２２を含む積層体がロール状の印刷版１６Ｂに少なくとも部分的に巻き付けられるように上記積層体を保持するガイドローラー２６を含んでいる。
【００６７】
以下、本変形例における印刷装置１０を用いた印刷方法について説明する。はじめに、印刷版１６Ｂの凸部１７ａに前処理ロール１９ｃの表面層１９ａを押し当てる。この結果、図６に示すように、表面層１９ａに浸み込んでいる撥インキ性物質１５が、凸部１７ａ上に設けられる。また塗膜機構１４を用いて、ブランケット胴１２の表面にインキ１３の膜を形成する。
【００６８】
次に、回転するブランケット胴１２が印刷版１６Ｂに接触する。これによって、ブランケット胴１２の表面のインキ１３のうち印刷版１６Ｂの凸部１７ａに接触したインキ１３が、凸部１７ａ側に転移される。ここで、凸部１７ａ上には撥インキ性物質１５が前もって設けられている。このため図６に示すように、凸部１７ａとインキ１３との間に撥インキ性物質１５が介在された状態を実現することができる。
【００６９】
その後、回転するブランケット胴１２の表面に残っているインキ１３が、圧胴１８によって搬送される被転写体３０に接触し、これによってインキ１３が被転写体３０に転写される。
【００７０】
また除去機構２０においては、図６に示すように、プライマー層２２を構成するための樹脂材料を、塗工部２３を用いて、フィルム２１の両面のうち印刷版１６Ｂと対向する側の面に塗工する。次に、保持部２４を用いて、フィルム２１によって支持されているプライマー層２２を印刷版１６Ｂの凸部１７ａ上のインキ１３に接触させる。なお図示はしないが、フィルム２１およびプライマー層２２の積層体をフィルム２１側から印刷版１６Ｂに向かって押圧する押圧ローラーが設けられていてもよい。次に、硬化処理部２７を用いて、凸部１７ａ上のインキ１３に接触しているプライマー層２２を硬化させる。これによって、プライマー層２２をインキ１３に対して強固に密着させることができる。その後、フィルム２１およびプライマー層２２の積層体が例えば保持部２４のガイドローラー２６に沿って搬送され、これによって、上記積層体が印刷版１６Ｂの凸部１７ａから引き離される。この際、図６に示すように、凸部１７ａに付着していたインキ１３が、凸部１７ａから引き離されてプライマー層２２側に転移する。これによって、凸部１７ａ上に付着しているインキ１３を除去することができる。
【００７１】
ここで本変形例においても、上述の本実施の形態の場合と同様に、凸部１７ａとインキ１３との間には撥インキ性物質１５が介在されている。このため、上述の除去工程の剥離工程において、凸部１７ａに付着していたインキ１３を凸部１７ａから容易に引き離してプライマー層２２側に転移させることができる。このため、除去工程に要する時間を短縮することができる。
また本変形例においても、撥インキ性物質を印刷版１６Ｂの凸部１７ａに設ける方法として、撥インキ性物質が浸み込んだシリコーンゴムを凸部１７ａに押し当てるという方法が採用されている。このため、凸部１７ａに撥インキ性物質を固定するという処理を短時間で実施することができる。
このように本変形例においても、従来の反転印刷方法に比べて、除去工程や撥インキ処理に要する時間を短縮することができる。
【００７２】
また本変形例によれば、印刷版１６Ｂに撥液性を付与する前処理工程と、ブランケット胴１２の表面のインキ１３を部分的に印刷版１６Ｂに転移させる転移工程と、ブランケット胴１２の表面に残っているインキ１３を被転写体３０に転写する転写工程と、印刷版１６Ｂの凸部１７ａ上に付着しているインキ１３を除去する除去工程と、を平行して実施することができる。このため、反転印刷法を連続的に実施することが可能になる。従って、微細なパターンを形成することができるという反転印刷法の利点を享受しながら、工数および製造コストを削減できる印刷方法を提供できる。
【００７３】
（除去機構の変形例）
また上述の本実施の形態および変形例において、プライマー層２２を利用することによって印刷版１６Ａ，１６Ｂの凸部１７ａ上に付着しているインキ１３が除去される例を示した。しかしながら、凸部１７ａ上に付着しているインキ１３を除去するために用いられる手段が特に限られることはない。例えば、プライマー層２２の代わりに粘着層を利用して、凸部１７ａ上に付着しているインキ１３を除去してもよい。具体的には、除去機構２０は、フィルム２１と、フィルム２１の両面のうち印刷版１６Ａ，１６Ｂ側の面に設けられた粘着層と、粘着層が印刷版１６Ａ，１６Ｂ上のインキ１３に接触するよう、フィルム２１および粘着層を含む積層体を保持する保持部２４と、を有していてもよい。この場合、フィルム２１によって支持されている粘着層を印刷版１６Ａ，１６Ｂの凸部１７ａ上のインキ１３に接触させる接触工程と、フィルム２１および粘着層を印刷版１６Ａの凸部１７ａから引き離す剥離工程と、を実施することによって、凸部１７ａ上に付着しているインキ１３を除去する除去工程を行うことができる。
【００７４】
なお、上述した実施の形態に対するいくつかの変形例を説明してきたが、当然に、複数の変形例を適宜組み合わせて適用することも可能である。
【実施例】
【００７５】
以下、実施例を挙げることにより、本発明について具体的に説明する。
【００７６】
（実施例１）
〔前処理工程〕
深さ約３μｍの凹凸が形成されたガラスからなる印刷版を準備した。この印刷版に対して、金陽社製のシリコンブランケットを押し当て、これによって、印刷版の表面に撥液性を付与した。このときの２５℃の純水に対する接触角を測定したところ、８０°であった。
【００７７】
参考までに、シリコンブランケットをガラスに対して接触させる回数に応じて、２５℃の純水に対するガラスの接触角がどのように推移するかを測定した結果を図７に示す。なおガラスとしては、５分間にわたってＵＶオゾン処理が施されたものを使用した。シリコンブランケットが接触される前のガラスの、２５℃の純水に対する接触角は１０°以下であった。ガラスに撥液性を付与する工程においては、ハンドローラーを用いて金陽社製のシリコンブランケットをガラスに対して接触させた。
図７に示すように、接触回数の増加に伴って、２５℃の純水に対する接触角が向上することが確認された。すなわち、ガラスに撥液性が付与されることを確認できた。
【００７８】
〔転移工程〕
金陽社製のシリコンブランケット上に、Ｃｕナノ粒子が分散されたインクをスピンコートすることによって、シリコンブランケットの全面にインクを塗布した。インキとしては、Ｃｕナノ粒子が分散され、かつ、プロピレングリコール１−モノメチルエーテル２−アセテート、いわゆるＰＧＭＥＡが３５ｗｔ％の濃度で分散され、さらに、インキの表面張力を調整するためのＤＩＣ製のフッ素系界面活性剤Ｆ−５５５が０．５ｗｔ％の濃度で添加されたものを用いた。
次に、上述の印刷版に、インキが塗布されたシリコンブランケットを接触させ、印刷版の凸部にシリコンブランケット上のインキを転移させた。これによって、シリコンブランケット上のインキをパターニングした。
【００７９】
〔転写工程〕
その後、パターニングされたシリコンブランケットのインキを、ＰＥＴフィルム上に転写した。これによって、ＰＥＴフィルム上に、厚み約３５０ｎｍのＣｕパターンを得た。
【００８０】
〔除去工程〕
印刷版の凸部に転移されたインキを除去するためのプライマー層を構成するプライマーインキとして、ジペンタエリスリトールヘキサアクリレートからなるアクリルモノマーに２，４，６−トリメチルベンゾイル−ジフェニル−フォスフィンオキサイドからなる光開始剤を２ｗｔ％の濃度で分散させたものを準備した。次に、厚み１００μｍの東洋紡製の透明ＰＥＴＡ４１００からなるフィルムに、準備したプライマーインキをバーコート法を用いて塗布し、フィルム上に膜厚約２０μｍのプライマー層を形成した。プライマー層の粘度は２５℃で約５２５０ｍＰａ・ｓであり、従って、プライマーインキの塗膜がフィルムから流れ落ちることはなかった。
【００８１】
次に、プライマー層を、インキが付着している印刷版の凸部に接触させ、その後、透明ＰＥＴからなるフィルムを介して紫外線をプライマー層に照射し、プライマー層を硬化させた。紫外線の照射量は、ＵＶ−Ａにおける約４００ｍＪ／ｃｍ２、および、ＵＶ−Ｂにおける約３００ｍＪ／ｃｍ２とした。次に、印刷版からプライマー層を剥離した。結果、硬化したプライマー層および凸部上のインキがいずれもフィルム側に転移した。すなわち、印刷版の凸部からインキを除去することができた。
【００８２】
（実施例２）
インキが付着している印刷版の凸部に、厚み３５μの粘着層が設けられた日東電工製のポリイミドテープＮｏ.３６０ＵＬを、ハンドローラーを用いて接触させたこと以外は、実施例１と同様にして、印刷版の凸部上のインキを除去するための除去工程を実施した。凸部からポリイミドテープを剥離させたところ、凸部上のインキがポリイミドテープ側に転移した。すなわち、印刷版の凸部からインキを除去することができた。
【００８３】
（比較例１）
印刷版の表面に撥液性を付与するための前処理工程を実施しなかったこと以外は、実施例２と同様にして、印刷版の凸部上のインキを除去するための除去工程を実施した。凸部からポリイミドテープを剥離させたところ、凸部上のインキをポリイミドテープ側十分に転移させることができなかった。すなわち、凸部上にインキが部分的に付着したままとなっていた。
【符号の説明】
【００８４】
１０  印刷装置
１２  ブランケット胴
１２ａ  表面層
１２ｂ  本体部
１３  インキ
１４  塗膜機構
１５  撥インキ性物質
１６Ａ  平板状の印刷版
１６Ｂ  ロール状の印刷版
１７ａ  凸部
１７ｂ  凹部
１９  前処理機構
１９ａ  表面層
１９ｃ  前処理ロール
２０  除去機構
２１  フィルム
２２  プライマー層
２４  保持部
２７  硬化処理部
３０  被転写体
【図１】
2014237262.tif 000003
【図７】
2014237262.tif 000004
【図２】
2014237262.tif 000005
【図３】
2014237262.tif 000006
【図４】
2014237262.tif 000007
【図５】
2014237262.tif 000008
【図６】
2014237262.tif 000009